(57)【要約】  冷陰極蛍光ランプと、該冷陰極蛍光ランプが配設された器具本体とを有する照明装置において、該照明装置に電源を供給する電源ケーブルが接続されるケーブル接続部が、前記器具本体の第１の側面と、該第１の側面に対向する第２の側面とに設けられている。
2009019946.tif 000002
【特許請求の範囲】
【請求項１】
冷陰極蛍光ランプと、該冷陰極蛍光ランプが配設された器具本体とを有する照明装置において、
該照明装置に電源を供給する電源ケーブルが接続されるケーブル接続部が、前記器具本体の第１の側面と、該第１の側面に対向する第２の側面とに設けられていることを特徴とする照明装置。
【請求項２】
前記第１の側面に設けられた前記ケーブル接続部は前記器具本体の長手方向の第１の端部近傍に配置され、前記第２の側面に設けられた前記ケーブル接続部は前記器具本体の長手方向における前記第１の端部とは反対側の第２の端部近傍に配置されている、請求項１に記載の照明装置。
【請求項３】
前記第２の側面に設けられた前記ケーブル接続部は前記器具本体の長手方向の第１の端部近傍に配置され、前記第１の側面に設けられた前記ケーブル接続部は前記器具本体の長手方向における前記第１の端部とは反対側の第２の端部近傍に配置されている、請求項１に記載の照明装置。
【請求項４】
請求項１から３のいずれか１項に記載の複数の照明装置が前記照明装置の長手方向に配置されて構成された照明ユニットであって、
互いに隣接する２つの前記照明装置の前記第１の側面に設けられた前記ケーブル接続部同士の前記電源ケーブルによる接続と、互いに隣接する２つの前記照明装置の前記第２の側面に設けられた前記ケーブル接続部同士の前記電源ケーブルによる接続と、が交互になされていることを特徴とする照明ユニット。
【請求項５】
請求項１から３のいずれか１項に記載の複数の照明装置が前記照明装置の長手方向に直交する方向に配置されて構成された照明ユニットであって、
互いに隣接する２つの前記照明装置にそれぞれ設けられている互いに対向する前記ケーブル接続部同士が前記電源ケーブルによって接続されていることを特徴とする照明ユニット。
【請求項６】
請求項２に記載の複数の照明装置と請求項３に記載の複数の照明装置とが前記照明装置の長手方向に交互に配置されて構成された照明ユニットであって、
互いに隣接する２つの前記照明装置の前記第１の側面に設けられた前記ケーブル接続部同士の前記電源ケーブルによる接続と、互いに隣接する２つの前記照明装置の前記第２の側面に設けられた前記ケーブル接続部同士の前記電源ケーブルによる接続と、が交互になされていることを特徴とする照明ユニット。
【請求項７】
請求項２に記載の複数の照明装置と請求項３に記載の複数の照明装置とが前記照明装置の長手方向に直交する方向に交互に配置されて構成された照明ユニットであって、
互いに隣接する２つの前記照明装置にそれぞれ設けられている互いに対向する前記ケーブル接続部同士が前記電源ケーブルによって接続されていることを特徴とする照明ユニット。
【発明の詳細な説明】
【技術分野】
【０００１】
本発明は、冷陰極蛍光ランプを有する照明装置および該照明装置を複数備えた照明ユニットに関する。
【背景技術】
【０００２】
ＣＣＦＬ（Cold  Cathode  Fluorescent  Lamp：冷陰極蛍光ランプ）は、ＣＣＦＬ内に存在する初期電子を利用して放電を開始し、その放電に伴って点灯を開始する蛍光ランプである。冷陰極蛍光ランプは、従来から広く用いられている熱陰極蛍光ランプに比べて管径を細くでき、寿命が長いという特長を有している。具体的には、冷陰極蛍光ランプの管径は直径１．８〜５．０ｍｍであり、寿命は約４〜６万時間である。冷陰極蛍光ランプは上記の特長を有するためこれまでは主にバックライト用光源として用いられてきたが、現在では一般照明器具への適用も進められつつある。【０００３】
特開２００７−６６６２８号公報（以下、特許文献１と称す）には、冷陰極蛍光ランプを用いた照明器具が開示されている。特許文献１の図５に開示された照明器具は天井などに設置されるものであり、互いに平行に配置された２本の冷陰極蛍光ランプを備えている。【０００４】
上述したように、冷陰極蛍光ランプは熱陰極蛍光ランプに比べて管径が細く、寿命が長いという特長を有している。そのため、冷陰極蛍光ランプを用いた照明器具は、設置スペースが小さく、また、ランプ交換のための手間を少なくすることができるという利点がある。【０００５】
冷陰極蛍光ランプを用いた照明器具は、上記のような利点を有していることから、例えば壁面に設置して用いる場合に好適である。この場合、壁面上には複数の照明器具が縦横に並べて設置され、それらの照明器具の前には例えば白色等の半透明のパネル部材が設置される。冷陰極蛍光ランプを用いた照明器具は設置スペースが小さいため、設置に必要な奥行きスペースをあまり必要としない。半透明のパネル部材にはその裏面に設置された複数の照明器具から光が当てられ、パネル部材の全面が光る。パネル部材を壁面のほぼ全面に設置した場合には壁面全体が光ることになるため、通常の照明では実現できない室内空間を演出することができる。また、壁面に設置された照明器具は、壁面に設置した広告パネル等の照明としても用いることができる。【０００６】
次に、背景技術が有する課題について説明する。【０００７】
図４は本発明に関連する冷陰極蛍光ランプを用いた複数の照明器具を長手方向に並べて設置した状態（縦配列）を示す概略正面図である。また、図５は本発明に関連する冷陰極蛍光ランプを用いた複数の照明器具を長手方向に直交する方向に並べて設置した状態（横配列）を示す概略正面図である。【０００８】
図４に示すように複数の照明器具を縦配列で設置したとき、複数の照明器具は電源ケーブル１０３が互いに順次接続されて電源が供給される。しかしながら、各照明器具の片側にケーブル接続部１０１ａが設けられている構成の場合には、それら複数の照明器具の片方の側にのみ電源ケーブル１０３が配線されることとなるため、電源ケーブル１０３が一方の側に集中してしまう。【０００９】
また、図５に示すように複数の照明器具を横配列で設置したときも、複数の照明器具は電源ケーブル１０３が互いに順次接続されて電源が供給される。この配置の場合には、各照明器具の片側にケーブル接続部１０１ａが設けられていると、電源ケーブル１０３を上下の照明器具同士の間に引き回して配線する必要が生じる。そのため、電源ケーブル１０３の配置や引き回しの自由度が制限されるとともに、電源ケーブル１０３の配線が複雑になってしまう。
【発明の開示】
【００１０】
本発明の目的は、上記背景技術が有する課題の少なくとも一つを解決できる照明装置および該照明装置を複数備えた照明ユニットを提供することにある。その目的の一例は、複数の照明器具を並べて設置して電源ケーブルを接続したときに、電源ケーブルの配線を簡素化することである。
【００１１】
本発明の一の態様は、冷陰極蛍光ランプと、該冷陰極蛍光ランプが配設された器具本体とを有する照明装置である。この照明装置においては、該照明装置に電源を供給する電源ケーブルが接続されるケーブル接続部が、前記器具本体の第１の側面と、該第１の側面に対向する第２の側面とに設けられている。
【００１２】
また、本発明の他の態様は、上記一の態様による複数の照明装置が前記照明装置の長手方向に配置されて構成された照明ユニットである。この照明ユニットにおいては、互いに隣接する２つの前記照明装置の前記第１の側面に設けられた前記ケーブル接続部同士の前記電源ケーブルによる接続と、互いに隣接する２つの前記照明装置の前記第２の側面に設けられた前記ケーブル接続部同士の前記電源ケーブルによる接続と、が交互になされている。
【００１３】
また、本発明の他の態様は、上記一の態様による複数の照明装置が前記照明装置の長手方向に直交する方向に配置されて構成された照明ユニットである。この照明ユニットにおいては、互いに隣接する２つの前記照明装置にそれぞれ設けられている互いに対向する前記ケーブル接続部同士が前記電源ケーブルによって接続されている。
【図面の簡単な説明】
【００１４】
【図１】本発明の一実施例に係る照明器具を示す概略構成図である。
【図２】図１に示した本実施例の照明器具を長手方向に並べて構成された縦配列の照明ユニットを示す概略正面図である。
【図３】図１に示した本実施例の照明器具を長手方向に直交する方向に並べて構成された横配列の照明ユニットを示す概略正面図である。
【図４】本発明に関連する冷陰極蛍光ランプを用いた複数の照明器具を長手方向に並べて設置した状態（縦配列）を示す概略正面図である。
【図５】本発明に関連する冷陰極蛍光ランプを用いた複数の照明器具を長手方向に直交する方向に並べて設置した状態（横配列）を示す概略正面図である。
【発明を実施するための最良の形態】
【００１５】
次に、本発明の実施例について図面を参照して説明する。【００１６】
図１は本発明の一実施例に係る照明器具を示す概略構成図である。図１（ａ）は本実施例の照明器具の第１の態様を示す平面図であり、図１（ｂ）は本実施例の照明器具の第２の態様を示す平面図である。【００１７】
図１（ａ）及び図１（ｂ）に示すように、本実施例の照明器具は、器具本体１と、器具本体１上に取り付けられた複数本の冷陰極蛍光ランプ（ＣＣＦＬ）２とを有している。冷陰極蛍光ランプ２は、管状のガラス製のバルブを有している。【００１８】
バルブの内面には、蛍光体膜が形成されている。バルブ内には、アルゴン（Ａｒ）やネオン（Ｎｅ）などの不活性ガスおよび水銀（Ｈｇ）が封入されている。バルブの両端には、冷陰極形の電極が設けられている。冷陰極形の電極のそれぞれは、配線（不図示）を介して、器具本体１内に設けられた点灯回路（不図示）に接続されている。【００１９】
さらに本実施例の照明器具は、電源ケーブルが接続されるケーブル接続部１ａが、器具本体１の長手方向に沿う２つの側面上にそれぞれ１つずつ設けられている。さらに、図１（ａ）に示す第１の態様では、図示上側の側面に設けられた一方のケーブル接続部１ａは、器具本体１の長手方向の図示左側の端部に近い位置に配置され、図示下側の側面に設けられた他方のケーブル接続部１ａは、器具本体１の長手方向の図示右側の端部に近い位置に配置されている。【００２０】
これに対し、図１（ｂ）に示す第２の態様では、図示上側の側面に設けられた一方のケーブル接続部１ａは、器具本体１の長手方向の図示右側の端部に近い位置に配置され、図示下側の側面に設けられた他方のケーブル接続部１ａは、器具本体１の長手方向の図示左側の端部に近い位置に配置されている。【００２１】
図２は、図１に示した本実施例の照明器具を長手方向に並べて構成された縦配列の照明ユニットを示す概略正面図である。【００２２】
図２は、図１（ａ）に示した第１の態様の照明器具と、図１（ｂ）に示した第２の態様の照明器具とを交互に並べて設置した状態を示している。上述したように、本実施例の照明器具は器具本体１の長手方向に沿う２つの側面上にケーブル接続部１ａがそれぞれ１つずつ設けられている。【００２３】
したがって、隣接する２つの照明器具の同じ側の側面に設けられたケーブル接続部１ａ同士を電源ケーブル３で接続することにより、電源ケーブル３を照明器具の両方の側に交互に分散して配線することができるため、電源ケーブル３は一方の側に集中しない。【００２４】
さらに、図２に示すように第１の態様の照明器具と第２の態様の照明器具とを交互に配置した場合には、隣接する２つの照明器具の対向する端部付近に、各々の照明器具のケーブル接続部１ａが位置する。そのため、それらのケーブル接続部１ａ同士を接続する電源ケーブル３の長さを短くすることが可能であり、その分、電源ケーブル３に要するコストと配置スペースとを少なくすることができる。【００２５】
図３は、図１に示した本実施例の照明器具を長手方向に直交する方向に並べて構成された横配列の照明ユニットを示す概略正面図である。図３も、図１（ａ）に示した第１の態様の照明器具と、図１（ｂ）に示した第２の態様の照明器具とを交互に並べて設置した状態を示している。【００２６】
本実施例の照明器具は器具本体１の長手方向に沿う２つの側面上にケーブル接続部１ａがそれぞれ１つずつ設けられていることは上述した通りである。そのため、図３のような横配列に配置したとき、隣接する２つの照明器具の互いに対向する側面上に設けられたケーブル接続部１ａ同士を電源ケーブル３で接続することができる。そのため、図５に示したように、複数本の電源ケーブル３を隣接する２つの照明器具同士の間に引き回して配線する必要がない。【００２７】
さらに、図３に示すように第１の態様の照明器具と第２の態様の照明器具とを交互に配置した場合には、隣接する２つの照明器具のケーブル接続部１ａが互いに対向する。そのため、それらのケーブル接続部１ａ同士を接続する電源ケーブル３の長さを短くすることが可能であり、その分、電源ケーブル３に要するコストと配置スペースとを少なくすることができる。【００２８】
以上説明した各実施例の構成によれば、複数の照明器具を並べて設置して電源ケーブルを接続したときに、電源ケーブルの配線を簡素化することが可能となる。【００２９】
以上、実施例を参照して本願発明を説明したが、本願発明は上記実施例に限定されるものではない。本願発明の形や細部には、本願発明の技術思想の範囲内で当業者が理解し得る様々な変更をすることができる。【００３０】
この出願は、2007年8月9日に出願された日本出願特願2007-208158を基礎とする優先権を主張し、その開示の全てをここに取り込む。
【図１】
2009019946.tif 000003
【図２】
2009019946.tif 000004
【図３】
2009019946.tif 000005
【図４】
2009019946.tif 000006
【図５】
2009019946.tif 000007
【国際調査報告】
2009019946.tif 000008
2009019946.tif 000009
2009019946.tif 000010
2009019946.tif 000011